(57)【要約】【課題】  袖口が長く、厚さが薄くてたくれてずり落ちやすいゴム製などの手袋をずりおちないようにし、かつ携帯懐炉も保持できることを特徴とする手袋ずり落ち防止具【解決手段】  柔軟性があるシリコン等の細い棒状のもので作り、手首部分と腕部分とをＣ型に曲げた形にし、これを並行する２本の棒状のもので、腕側はその棒の端をパイプ状にし、手首側の棒の端をこの中にいれることにより、それぞれが互いに並行してスライド出来るようにする方法等により長さの調整が出来るようにして連結し、また袖口の部分にＣ型部を曲げてそこにクリップなどを付ける等をして手袋の口側を挟められるようにし、かつクリップの少し手首側に寄ったところに本体の棒の一部を曲げて外側に凸部を設けて手袋の口部を絞めるためのバンド等がずれないようにしたもの。【選択図】図１
2016014206.tif 000002
【特許請求の範囲】
【請求項１】
しなやかで柔軟性があるが、ある程度の硬直性と形状復帰性があるシリコンなどの細めの素材で作成し、腕、手首部分はＣ型にし、以て簡易にその部分の挟み・外しができるようにするとともに携帯懐炉を入れる袋をずれることなく保持しておくことが出来るようにし、手首と腕との間の連結部は並行する２本の棒の一方の端を他方のそれぞれのパイプ状の管の中に入れ込むこと等によって伸縮可能なものとし、手袋の口の部分はこれを挟めるようクリップなどを装着する等をし、かつクリップ部よりすこし手首側にはゴムバンド等をしたときにこれがずれないようにするための凸部を設けることを特徴とする手袋ずり落ち防止具。
【発明の詳細な説明】
【技術分野】
【０００１】
この発明は漁業、水産、工事、飲食等産業あるいは家事などで用いられるゴム等製の袖口が長い手袋のずり落ちを防止するための器具である。
【背景技術】
【０００２】
様々な面で使われるゴム等製の袖口が長い手袋において厚いものはずり落ちにくいがごわごわして使いにくく、非常に薄いものは破れやすく、また装着取り外しが面倒であり、一方両者の中間位の厚さのものは使いやすいが長袖の衣類を着ているとずり落ちて裾が濡れたりする欠点があるし、薄ものでも腕にたいしてゆるめであればずり落ちやすい。
このためバンド等で絞めたり、肘上部に腕輪を付けてこれに手袋をゴム紐で引きつけておく方法、手袋の袖口に襞を作ったり、ワッカーに手袋の袖口を折り返す方法、あるいは先端に丸い板状のものをつけた棒状のものを手袋内に入れる等の方法が見られる。
また手を温めるためには携帯用懐炉が一般に利用されているところではあるが、携帯用懐炉を手袋に入れるという発想はあるとは思えるが、発明品としてはあまりないようである。
（例  非特許文献１  非特許文献２）
【先行技術文献】
【特許文献】
【０００３】
【特許文献１】(特開2012-77422号公報)  (特開2008-002044号公報)   (特開2001-336008号公報)   (特開1999-181608号公報)  （特願1999-358804号公報）  （特願2007-146152号公報）
【非特許文献】
【０００４】
【非特許文献１】（実用新案公開平５−８５８１９）
【発明の概要】
【発明が解決しようとする課題】
【０００５】
ゴム等製で水仕事をするとき等に使われる長い手袋は薄めのものはずり落ちやすいのでこれがたくれてずり落ちしないようにする方法が求められるところである。その方法としては以下のような方法がこれまで行われ、あるいは考案されてきたがそれぞれに欠点がある。
まず手袋の袖口を紐などで縛ったり、肘上のバンドにつなぐ方法は面倒であったり、緩ければやはりずり落ち、絞め方がきつければ腕が痛くなり、あるいはゴムなどで引っ張るのは長時間労務の場合肩がこったりする。
また手袋そのものの袖口に襞を作る方法等は価格が高くなり、外の手袋にも転用出来るというわけではない。
あるいは先が丸い板のようなものをつけ、一方袖口には手袋を固定するワッカーを付けたものを手袋内に差し込むという案もあるが、これは丸い板様のものが手の甲に当たり不愉快でまた手先の動きを妨げるので作業能率を低下させ、またそで口のワッカーも大きめで手の動きを妨げ、作業をしないときは不体裁であるとともに邪魔にもなる。またこれにおける両者の間の棒状のものも１本の棒状であるので作業に制約を与えて作業効率を低下させ、かつ長さの調整が出来ない。
また一方で冬などの寒いときは水仕事などでは手が冷えるのでこれを防ぐために携帯懐炉などを手袋内にずれないように保持できる機能もこれに付随して求められるところである。
【課題を解決するための手段】
【０００６】
しなやかで柔軟性があって手の動きになじみやすいシリコン等製の２列の細い棒状のものの手首部分と腕部分とをそれぞれＣ型に曲げておいて、このＣ型の上下の口に手首と腕を入れるだけで手首、腕部にはまるようにする。
また２列の棒状のものはそれぞれ腕側の棒の端をパイプ状にし、この中に手首側の棒の端をいれることにより、それぞれを並行してスライドさせる等の方法で長さの調整が出来るようにする。
次に手袋の袖口に当たる部分にはクリップ等を付ける等をして手袋が外れないようにするとともに、毒性のものや危険物などを扱うときに手袋の腕側をゴムバンド等で絞めて密閉させる必要がある場合などにそのゴムバンド等がズレ落ちないようにする凸部を設ける。
手袋の使用時にその材質、態様により腕側のＣ型部で手袋の袖口を折り返し、クリップで挟む必要がないようであればそのような手間をかけることなく、そのまま手袋の中に本体を入れておくだけで差し支えない。
また冬期に手の冷えを防ぐために携帯懐炉などを入れた袋を結わえるには、並行する直方状の棒にその袋の両端を折り曲げてフックやボタンなどで止めれば手首側がＣ型に曲がっているので手先にずれることなく保持できる機能が果たされる。
さらにより長めの手袋に対応するものとして２列の棒状のものを更に長くして途中にＣ型の曲げを追加した製品も別途作成できることとする。
【発明の効果】
【０００７】
１  これを手袋の中に入れこれの腕側で手袋の袖口をクリップで挟んで手を入れれば手袋の裾口がたくれないので中に水が入ったり袖口を汚したりすることを防止できる。
２  手袋を使用後、これの外側の水を切り、あるいは乾燥させるときは壁のフックなどにこの本体に付けられたクリップの輪部を掛けて手袋を吊せば水切り、乾燥が効果的に出来る。
３  万一手袋内部に水が入った場合、あるいは汗で内部が湿ってこれを乾燥させたい場合等にはこれを手袋に入れたまま指側を上に逆さに吊るし、あるいはその状態で台などの上に立てる等すれば内部が手首部、袖部双方でＣ型に広がっているので全体的に空洞部が広げられ、内側の水切、乾燥もすみやかに出来る。
４  手首部分がＣ型にくびれているのでこれの本体が手首から先にずれず、また腕の部分もＣ型になっていて腕を締め付けないので腕の動きがあまり制約されず作業がしやすく、全体的にもしなやかで柔軟性がある細めのシリコン等の素材で作るので、腕や手先の動きが自由に出来る。
５  棒状のものが手袋の中に入ることにより、暑いときでも手袋が手に密着せず、通気性が出来て快適であり、また薄い手袋であっても外すとき外しやすい。
６  手首部分、腕部分がＣ型であり、また長さの伸縮も出来るので体型に関わりなく、また手袋の長さに関わりなく誰の手にもフィットする。
７  乾燥させる場合などで腕側を下にして立てておく場合、上下でＣ型の曲げがあるとともにこれを２本の棒で支えているので、１本棒だけのものより内部が広がり乾燥効率が良く、また安定性がある。
８  従来、薄めのゴム製等の肘くらいまでにも届く手袋はすぐにたくれて使い物にならず製造されなかったが、これを用いることにより、薄めでも使用に耐えるようになり、新しい製品の開発が促される。
９  手袋内に携帯懐炉をいれると先端部分にそれが詰まってしまい、作業がしずらくなり、低温火傷を招く危険性もあるが、これに携帯懐炉をいれた袋を結わえることによって携帯懐炉がずれずに保持され、全体の保温が可能となり、肌に密着しないので低温火傷の危険性も少なくなる。
【図面の簡単な説明】
【０００８】
【図１】Ａ図は手首側を上にしてＣ型の口側を奥にして置いたときの本体の見取図であり、Ｂ図はこれを右横から見た側面図、Ｃ図は同様にＡ図のものを、上から見た平面図である。番号１は手首側のＣ型の曲げ部であり、番号２は腕側のＣ型の曲げ部、番号３は長さを調整する場合の接合部、番号４はゴムバンド等を使用する場合にそれがずれないようにするための凸部である。番号６は手袋の袖口を番号２の枠に掛けて折り返してそれを挟むクリップであり、番号５はこのクリップがずれないよう、またＣ型の枠部で手袋の端が折り曲げられて挟まれるとき皺にならずに挟めるようにするためにＣ型部が曲げられた部分である。
【図２】この図は本発明品を装着した手袋を腕にはめたものである。番号１’は本体手首部のＣ型の部分、すなわち第１図番号１による膨らみであり、４’は手袋を密着させるために用いるゴムバンド等（番号７）がずり落ちるのを防ぐための本体凸部（図面１のＡ、Ｂ、Ｃ各図の番号４）による膨らみである。番号６は手袋の端を本体腕部のＣ型の枠部で折り曲げた番号８を挟むクリップである。
【符号の説明】
【０００９】
（各番号は各図に共通の通し番号である）
１  手首部のＣ型の曲げ部
２  腕部のＣ型の曲げ部
３  手首部側の棒の端と腕部側の棒の端との接合部
４  ゴムバンド等をする場合のストッパーの役目をする凸部
５  クリップのズレを防ぐための腕部Ｃ型枠の折り曲げ部で、手袋の端が皺にならずにクリップで挟めるようにもしたものである。
６  手袋の端を挟むクリップ
７  ゴムバンド
８  手袋の折り曲げ部
１’  図１の番号１による手袋の膨らみ
４’  図１の番号４による手袋の膨らみ
【図１】
2016014206.tif 000003
【図２】
2016014206.tif 000004